(57)【要約】【課題】  Ｗ−ＣＤＭＡシステムにおいて望ましくない下りの電力リソースの浪費を抑えることが可能な移動通信システムを提供する。【解決手段】  無線基地局２はＥ−ＡＧＣＨの送信先である個々または複数の移動局１の下り無線リンク品質状態をモニタし、該移動局１に対して最適なＥ−ＡＧＣＨの電力制御を行う。移動局１は自局へのＥ−ＡＧＣＨの復号結果から得られるＣＲＣのＯＫ／ＮＧの判定結果を上り物理制御チャネルを用いて無線基地局２にフィードバックし、無線基地局２は得られたＣＲＣ結果を基に該移動局１に対するＥ−ＡＧＣＨの電力制御を行う。フィードバックする方法としてはＥ−ＡＧＣＨを正しく復号できた後の所定のタイミングで必ずＥ−ＤＰＣＣＨを送信する方法と、Ｅ−ＡＧＣＨのＣＲＣ判定のＯＫ／ＮＧを１ｂｉｔの情報としてＥ−ＤＰＣＣＨ上にマッピングして通知する方法とがある。【選択図】      図１
2006245838.tif 000002
【特許請求の範囲】
【請求項１】
移動局から無線基地局への上り回線において、下り物理チャネルであるＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］を使用してＥＵＤＣＨ（Ｅｎｈａｎｃｅｄ  Ｕｐｌｉｎｋ  Ｄｅｄｉｃａｔｅｄ  Ｃｈａｎｎｅｌ）と呼ばれる上り回線高速パケット伝送を行う移動通信システムであって、
前記無線基地局は、前記Ｅ−ＡＧＣＨの送信先である前記移動局の下り無線リンク品質状態をモニタする手段と、そのモニタ結果に基づいて前記Ｅ−ＡＧＣＨの電力制御を行う手段とを有することを特徴とする移動通信システム。
【請求項２】
前記移動局は、自局への前記Ｅ−ＡＧＣＨの復号結果から得られるＣＲＣ（Ｃｙｃｌｉｃ  Ｒｅｄｕｎｄａｎｃｙ  Ｃｈｅｃｋ）のＯＫ／ＮＧの判定結果を上り物理制御チャネルを用いて前記無線基地局にフィードバックする機能を含み、
前記無線基地局は、前記移動局から得られたＣＲＣ結果を基に該移動局に対する前記Ｅ−ＡＧＣＨの電力制御を行うことを特徴とする請求項１記載の移動通信システム。
【請求項３】
前記上り物理制御チャネルが、Ｅ−ＤＰＣＣＨ［Ｅ−ＤＣＨ（Ｅｎｈａｎｃｅｄ  Ｄｅｄｉｃａｔｅｄ  Ｃｈａｎｎｅｌ）  Ｄｅｄｉｃａｔｅｄ  Ｐｈｙｓｉｃａｌ  Ｃｏｎｔｒｏｌ  Ｃｈａｎｎｅｌ］であることを特徴とする請求項２記載の移動通信システム。
【請求項４】
前記フィードバックする機能は、前記Ｅ−ＡＧＣＨを正しく復号できた後の所定のタイミングで必ず前記Ｅ−ＤＰＣＣＨを送信することで、前記無線基地局に対して前記Ｅ−ＡＧＣＨを正しく受信できたかどうかを間接的に通知することを特徴とする請求項３記載の移動通信システム。
【請求項５】
前記フィードバックする機能は、前記Ｅ−ＡＧＣＨのＣＲＣ判定のＯＫ／ＮＧを１ｂｉｔの情報として前記Ｅ−ＤＰＣＣＨ上にマッピングして前記無線基地局に通知することを特徴とする請求項３記載の移動通信システム。
【請求項６】
前記移動局の下り無線リンク品質状態をモニタする手段は、ＨＳ−ＤＳＣＨ（Ｈｉｇｈ  Ｓｐｅｅｄ−Ｄｏｗｎｌｉｎｋ  Ｓｈａｒｄ  Ｃｈａｎｎｅｌ）  Ｓｅｒｖｉｎｇ  ＣｅｌｌとＳｅｒｖｉｎｇ  Ｅ−ＤＣＨ（Ｅｎｈａｎｃｅｄ  Ｄｅｄｉｃａｔｅｄ  Ｃｈａｎｎｅｌ）  Ｃｅｌｌとが同一の場合に前記移動局から受信する前記ＨＳ−ＤＰＣＣＨ内のＣＱＩ（Ｃｈａｎｎｅｌ  Ｑｕａｌｉｔｙ  Ｉｎｄｉｃａｔｏｒ）を利用して前記Ｅ−ＡＧＣＨの送信電力を算出し、
前記Ｅ−ＡＧＣＨの電力制御を行う手段は、その算出した前記Ｅ−ＡＧＣＨの送信電力を基に前記Ｅ−ＡＧＣＨの電力制御を行うことを特徴とする請求項１から請求項５のいずれか記載の移動通信システム。
【請求項７】
前記移動局の下り無線リンク品質状態をモニタする手段は、予め計算されたルックアップテーブルを引くことによって前記ＣＱＩを利用して前記Ｅ−ＡＧＣＨの送信電力を算出することを特徴とする請求項６記載の移動通信システム。
【請求項８】
複数の移動局に対して共通のＥ−ＡＧＣＨを用いることを特徴とする請求項１から請求項７のいずれか記載の移動通信システム。
【請求項９】
移動局からの上り回線において、下り物理チャネルであるＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］を使用してＥＵＤＣＨ（Ｅｎｈａｎｃｅｄ  Ｕｐｌｉｎｋ  Ｄｅｄｉｃａｔｅｄ  Ｃｈａｎｎｅｌ）と呼ばれる上り回線高速パケット伝送を行う無線基地局であって、
前記Ｅ−ＡＧＣＨの送信先である前記移動局の下り無線リンク品質状態をモニタする手段と、そのモニタ結果に基づいて前記Ｅ−ＡＧＣＨの電力制御を行う手段とを有することを特徴とする無線基地局。
【請求項１０】
前記移動局が、自局への前記Ｅ−ＡＧＣＨの復号結果から得られるＣＲＣ（Ｃｙｃｌｉｃ  Ｒｅｄｕｎｄａｎｃｙ  Ｃｈｅｃｋ）のＯＫ／ＮＧの判定結果を上り物理制御チャネルを用いて前記無線基地局にフィードバックする機能を含み、
前記移動局から得られたＣＲＣ結果を基に該移動局に対する前記Ｅ−ＡＧＣＨの電力制御を行うことを特徴とする請求項９記載の無線基地局。
【請求項１１】
前記上り物理制御チャネルが、Ｅ−ＤＰＣＣＨ［Ｅ−ＤＣＨ（Ｅｎｈａｎｃｅｄ  Ｄｅｄｉｃａｔｅｄ  Ｃｈａｎｎｅｌ）  Ｄｅｄｉｃａｔｅｄ  Ｐｈｙｓｉｃａｌ  Ｃｏｎｔｒｏｌ  Ｃｈａｎｎｅｌ］であることを特徴とする請求項１０記載の無線基地局。
【請求項１２】
前記フィードバックする機能は、前記Ｅ−ＡＧＣＨを正しく復号できた後の所定のタイミングで必ず前記Ｅ−ＤＰＣＣＨを送信することで、前記無線基地局に対して前記Ｅ−ＡＧＣＨを正しく受信できたかどうかを間接的に通知することを特徴とする請求項１１記載の無線基地局。
【請求項１３】
前記フィードバックする機能は、前記Ｅ−ＡＧＣＨのＣＲＣ判定のＯＫ／ＮＧを１ｂｉｔの情報として前記Ｅ−ＤＰＣＣＨ上にマッピングして前記無線基地局に通知することを特徴とする請求項１１記載の無線基地局。
【請求項１４】
前記移動局の下り無線リンク品質状態をモニタする手段は、ＨＳ−ＤＳＣＨ（Ｈｉｇｈ  Ｓｐｅｅｄ−Ｄｏｗｎｌｉｎｋ  Ｓｈａｒｄ  Ｃｈａｎｎｅｌ）  Ｓｅｒｖｉｎｇ  ＣｅｌｌとＳｅｒｖｉｎｇ  Ｅ−ＤＣＨ（Ｅｎｈａｎｃｅｄ  Ｄｅｄｉｃａｔｅｄ  Ｃｈａｎｎｅｌ）  Ｃｅｌｌとが同一の場合に前記移動局から受信する前記ＨＳ−ＤＰＣＣＨ内のＣＱＩ（Ｃｈａｎｎｅｌ  Ｑｕａｌｉｔｙ  Ｉｎｄｉｃａｔｏｒ）を利用して前記Ｅ−ＡＧＣＨの送信電力を算出し、
前記Ｅ−ＡＧＣＨの電力制御を行う手段は、その算出した前記Ｅ−ＡＧＣＨの送信電力を基に前記Ｅ−ＡＧＣＨの電力制御を行うことを特徴とする請求項９から請求項１３のいずれか記載の無線基地局。
【請求項１５】
前記移動局の下り無線リンク品質状態をモニタする手段は、予め計算されたルックアップテーブルを引くことによって前記ＣＱＩを利用して前記Ｅ−ＡＧＣＨの送信電力を算出することを特徴とする請求項１４記載の無線基地局。
【請求項１６】
複数の移動局に対して共通のＥ−ＡＧＣＨを用いることを特徴とする請求項９から請求項１５のいずれか記載の無線基地局。
【請求項１７】
移動局から無線基地局への上り回線において、下り物理チャネルであるＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］を使用してＥＵＤＣＨ（Ｅｎｈａｎｃｅｄ  Ｕｐｌｉｎｋ  Ｄｅｄｉｃａｔｅｄ  Ｃｈａｎｎｅｌ）と呼ばれる上り回線高速パケット伝送を行う移動通信システムに用いる下り制御チャネル電力制御方法であって、
前記無線基地局が、前記Ｅ−ＡＧＣＨの送信先である前記移動局の下り無線リンク品質状態をモニタする処理と、そのモニタ結果に基づいて前記Ｅ−ＡＧＣＨの電力制御を行う処理とを実行することを特徴とする下り制御チャネル電力制御方法。
【請求項１８】
前記移動局が、自局への前記Ｅ−ＡＧＣＨの復号結果から得られるＣＲＣ（Ｃｙｃｌｉｃ  Ｒｅｄｕｎｄａｎｃｙ  Ｃｈｅｃｋ）のＯＫ／ＮＧの判定結果を上り物理制御チャネルを用いて前記無線基地局にフィードバックし、
前記無線基地局が、前記移動局から得られたＣＲＣ結果を基に該移動局に対する前記Ｅ−ＡＧＣＨの電力制御を行うことを特徴とする請求項１７記載の下り制御チャネル電力制御方法。
【請求項１９】
前記上り物理制御チャネルが、Ｅ−ＤＰＣＣＨ［Ｅ−ＤＣＨ（Ｅｎｈａｎｃｅｄ  Ｄｅｄｉｃａｔｅｄ  Ｃｈａｎｎｅｌ）  Ｄｅｄｉｃａｔｅｄ  Ｐｈｙｓｉｃａｌ  Ｃｏｎｔｒｏｌ  Ｃｈａｎｎｅｌ］であることを特徴とする請求項１８記載の下り制御チャネル電力制御方法。
【請求項２０】
前記移動局が、前記Ｅ−ＡＧＣＨを正しく復号できた後の所定のタイミングで必ず前記Ｅ−ＤＰＣＣＨを送信することで、前記無線基地局に対して前記Ｅ−ＡＧＣＨを正しく受信できたかどうかを間接的に通知することを特徴とする請求項１９記載の下り制御チャネル電力制御方法。
【請求項２１】
前記移動局が、前記Ｅ−ＡＧＣＨのＣＲＣ判定のＯＫ／ＮＧを１ｂｉｔの情報として前記Ｅ−ＤＰＣＣＨ上にマッピングして前記無線基地局に通知することを特徴とする請求項１９記載の下り制御チャネル電力制御方法。
【請求項２２】
前記移動局の下り無線リンク品質状態をモニタする処理は、ＨＳ−ＤＳＣＨ（Ｈｉｇｈ  Ｓｐｅｅｄ−Ｄｏｗｎｌｉｎｋ  Ｓｈａｒｄ  Ｃｈａｎｎｅｌ）  Ｓｅｒｖｉｎｇ  ＣｅｌｌとＳｅｒｖｉｎｇ  Ｅ−ＤＣＨ（Ｅｎｈａｎｃｅｄ  Ｄｅｄｉｃａｔｅｄ  Ｃｈａｎｎｅｌ）  Ｃｅｌｌとが同一の場合に前記移動局から受信する前記ＨＳ−ＤＰＣＣＨ内のＣＱＩ（Ｃｈａｎｎｅｌ  Ｑｕａｌｉｔｙ  Ｉｎｄｉｃａｔｏｒ）を利用して前記Ｅ−ＡＧＣＨの送信電力を算出し、
前記Ｅ−ＡＧＣＨの電力制御を行う処理は、その算出した前記Ｅ−ＡＧＣＨの送信電力を基に前記Ｅ−ＡＧＣＨの電力制御を行うことを特徴とする請求項１７から請求項２１のいずれか記載の下り制御チャネル電力制御方法。
【請求項２３】
前記移動局の下り無線リンク品質状態をモニタする処理は、予め計算されたルックアップテーブルを引くことによって前記ＣＱＩを利用して前記Ｅ−ＡＧＣＨの送信電力を算出することを特徴とする請求項２２記載の下り制御チャネル電力制御方法。
【請求項２４】
複数の移動局に対して共通のＥ−ＡＧＣＨを用いることを特徴とする請求項１７から請求項２３のいずれか記載の下り制御チャネル電力制御方法。
【発明の詳細な説明】
【技術分野】
【０００１】
本発明は移動通信システム、無線基地局及びそれらに用いる下り制御チャネル電力制御方法に関し、特にＥＵＤＣＨ（Ｅｎｈａｎｃｅｄ  Ｕｐｌｉｎｋ  Ｄｅｄｉｃａｔｅｄ  Ｃｈａｎｎｅｌ）における下り制御チャネル電力制御法に関する。
【背景技術】
【０００２】
近年、各種通信網においては、固定通信網だけでなく、移動通信網においても、今後、データトラフィックの大幅な増加が予測されている。サーバからのダウンロード等による下り回線（無線基地局→移動局）においてこうしたトラフィックの増加に対応するべく３ＧＰＰ（３ｒｄ  Ｇｅｎｅｒａｔｉｏｎ  Ｐａｒｔｎｅｒｓｈｉｐ  Ｐｒｏｊｅｃｔ）のＲｅｌｅａｓｅ５ではＨＳＤＰＡ（Ｈｉｇｈ  Ｓｐｅｅｄ  Ｄｏｗｎｌｉｎｋ  Ｐａｃｋｅｔ  Ａｃｃｅｓｓ）が新たに仕様化されている（例えば、非特許文献１参照）。
【０００３】
一方、上り回線（移動局→無線基地局）においても、ＥＵＤＣＨと呼ばれる上り回線高速パケット伝送方式が、現在、３ＧＰＰ上で仕様策定が進んでいる。これまでは上り回線の最大レート制御は、ＲＮＣ（Ｒａｄｉｏ  Ｎｅｔｗｏｒｋ  Ｃｏｎｔｒｏｌｌｅｒ：無線基地局の上位局）が行っている。
【０００４】
しかしながら、ＥＵＤＣＨでは無線基地局によってこれを制御することで、上り干渉量の変動に応じた高速な上りレート制御が可能となる。ＥＵＤＣＨではより高速な制御が可能となることで、ノイズライズ（受信対雑音電力）マージンをより小さく設定することができるため、上り回線容量の増加が望める。
【０００５】
さらに、ＥＵＤＣＨでは、ＨＳＤＰＡと同様に、無線基地局と移動局との間でＨＡＲＱ（Ｈｙｂｒｉｄ  Ａｕｔｏｍａｔｉｃ  Ｒｅｐｅａｔ  Ｒｅｑｕｅｓｔ）技術が導入されている。これによって、ＲＮＣ内のＲＬＣ（Ｒａｄｉｏ  Ｌｉｎｋ  Ｃｏｎｔｒｏｌ）での再送に比べて、再送遅延が抑えられ、また、物理レイヤでの誤り率を高め（１０〜２０％）に設定することが可能となる。結果として、システムスループットの増大、送信遅延の低減といった効果が得られる。
【０００６】
また、ＥＵＤＣＨは、Ｗ−ＣＤＭＡ（Ｗｉｄｅｂａｎｄ  Ｃｏｄｅ  Ｄｉｖｉｓｉｏｎ  ｍｕｌｔｉｐｌｅ  Ａｃｃｅｓｓ）の上り回線の特徴の１つである“移動局は複数の無線基地局と無線リンクを張ることができる”ことから、上位局であるＲＮＣにおいて上りデータの選択合成を行うことによって、選択ダイバーシティ効果が得られる。
【０００７】
ＥＵＤＣＨ技術において、現時点での仕様で規定されている下り物理チャネルの中に、Ｅ−ＡＧＣＨ（Ｅ−ＤＣＨ  Ａｂｓｏｌｕｔｅ  Ｇｒａｎｔ  Ｃｈａｎｎｅｌ）がある。ここで、Ｅ−ＤＣＨとは、Ｅｎｈａｎｃｅｄ  Ｄｅｄｉｃａｔｅｄ  Ｃｈａｎｎｅｌの略称であり、ＥＵＤＣＨにおいて追加されたトランスポートチャネルである。
【０００８】
この制御チャネルには、移動局に許される最大送信レート・電力の情報等に関する情報が含まれている。Ｓｅｒｖｉｎｇ  Ｅ−ＤＣＨ  Ｃｅｌｌ［Ｅ−ＡＧＣＨを用いて移動局のＥ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）のレート・電力等の制御を行うＣｅｌｌ］である無線基地局は、Ｅ−ＡＧＣＨを用いてＥＵＤＣＨを行う移動局の上りレート・電力制御、また場合によっては送信タイミングの制御を行う。そのため、ＥＵＤＣＨを行う移動局にとって、Ｅ−ＡＧＣＨは十分なレベルで受信できる必要がある。
【０００９】
【非特許文献１】“Ｈｉｇｈ  Ｓｐｅｅｄ  Ｄｏｗｎｌｉｎｋ  Ｐａｃｋｅｔ  Ａｃｃｅｓｓ（ＨＳＤＰＡ）；Ｏｖｅｒａｌｌ  ｄｅｓｃｒｉｐｔｉｏｎ；Ｓｔａｇｅ  ２（Ｒｅｌｅａｓｅ  ５）”（３ＧＰＰ  ＴＳ  ２５．３０８  Ｖ５．４．０（２００３−０３））
【発明の開示】
【発明が解決しようとする課題】
【００１０】
上述した従来の移動通信システムでは、Ｅ−ＡＧＣＨの電力制御でもっとも簡単な方法として、Ｃｅｌｌ端まで届く十分な下り電力を固定的に割り当てる方法があるが、この方法の場合、下り電力リソースを浪費してしまうという問題が発生する。
【００１１】
そこで、本発明の目的は上記の問題点を解消し、Ｗ−ＣＤＭＡシステムにおいて望ましくない下りの電力リソースの浪費を抑えることができる移動通信システム、無線基地局及びそれらに用いる下り制御チャネル電力制御方法を提供することにある。
【課題を解決するための手段】
【００１２】
本発明による移動通信システムは、移動局から無線基地局への上り回線において、下り物理チャネルであるＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］を使用してＥＵＤＣＨ（Ｅｎｈａｎｃｅｄ  Ｕｐｌｉｎｋ  Ｄｅｄｉｃａｔｅｄ  Ｃｈａｎｎｅｌ）と呼ばれる上り回線高速パケット伝送を行う移動通信システムであって、
前記無線基地局は、前記Ｅ−ＡＧＣＨの送信先である前記移動局の下り無線リンク品質状態をモニタする手段と、そのモニタ結果に基づいて前記Ｅ−ＡＧＣＨの電力制御を行う手段とを備えている。
【００１３】
本発明による無線基地局は、移動局からの上り回線において、下り物理チャネルであるＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］を使用してＥＵＤＣＨ（Ｅｎｈａｎｃｅｄ  Ｕｐｌｉｎｋ  Ｄｅｄｉｃａｔｅｄ  Ｃｈａｎｎｅｌ）と呼ばれる上り回線高速パケット伝送を行う無線基地局であって、
前記Ｅ−ＡＧＣＨの送信先である前記移動局の下り無線リンク品質状態をモニタする手段と、そのモニタ結果に基づいて前記Ｅ−ＡＧＣＨの電力制御を行う手段とを備えている。
【００１４】
本発明による下り制御チャネル電力制御方法は、移動局から無線基地局への上り回線において、下り物理チャネルであるＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］を使用してＥＵＤＣＨ（Ｅｎｈａｎｃｅｄ  Ｕｐｌｉｎｋ  Ｄｅｄｉｃａｔｅｄ  Ｃｈａｎｎｅｌ）と呼ばれる上り回線高速パケット伝送を行う移動通信システムに用いる下り制御チャネル電力制御方法であって、
前記無線基地局が、前記Ｅ−ＡＧＣＨの送信先である前記移動局の下り無線リンク品質状態をモニタする処理と、そのモニタ結果に基づいて前記Ｅ−ＡＧＣＨの電力制御を行う処理とを実行している。
【００１５】
すなわち、本発明の移動通信システムは、ＥＵＤＣＨ（Ｅｎｈａｎｃｅｄ  Ｕｐｌｉｎｋ  Ｄｅｄｉｃａｔｅｄ  Ｃｈａｎｎｅｌ）で使用される下り物理チャネルであるＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］の最適な送信電力制御を行うことで、下り電力リソースの浪費を抑えることを実現している。
【００１６】
より具体的に説明すると、本発明の移動通信システムでは、Ｅ−ＡＧＣＨの送信先である個々または複数の移動局の下り無線リンク品質状態を下記の制御方法によって、無線基地局でモニタし、無線基地局において該移動局に対して最適なＥ−ＡＧＣＨの電力制御を行っている。
【００１７】
１番目の制御法の場合、移動局は、自局へのＥ−ＡＧＣＨの復号結果から得られるＣＲＣ（Ｃｙｃｌｉｃ  Ｒｅｄｕｎｄａｎｃｙ  Ｃｈｅｃｋ）のＯＫ／ＮＧの判定結果を、例えばＥ−ＤＰＣＣＨ（Ｅ−ＤＣＨ  Ｄｅｄｉｃａｔｅｄ  Ｐｈｙｓｉｃａｌ  Ｃｏｎｔｒｏｌ  Ｃｈａｎｎｅｌ）と呼ばれる上り物理制御チャネルを用いて、無線基地局にフィードバックする機能を持ち、無線基地局は、得られたＣＲＣ結果を基に該移動局に対するＥ−ＡＧＣＨの電力制御を行う。Ｅ−ＤＰＣＣＨを用いてフィードバックする方法としては２通りの実施方法がある。
【００１８】
第一の方法は、Ｅ−ＡＧＣＨを正しく復号できた後の所定のタイミングで必ずＥ−ＤＰＣＣＨを送信することで、無線基地局に対してＥ−ＡＧＣＨを正しく受信できたかどうかを間接的に通知する方法である。第二の方法は、Ｅ−ＡＧＣＨのＣＲＣ判定のＯＫ／ＮＧを１ｂｉｔの情報としてＥ−ＤＰＣＣＨ上にマッピングして通知する方法である。
【００１９】
次に、２番目の制御法の場合、ＨＳ−ＤＳＣＨ（Ｈｉｇｈ  Ｓｐｅｅｄ−Ｄｏｗｎｌｉｎｋ  Ｓｈａｒｄ  Ｃｈａｎｎｅｌ）  Ｓｅｒｖｉｎｇ  ＣｅｌｌとＳｅｒｖｉｎｇ  Ｅ−ＤＣＨ  Ｃｅｌｌとが常に同一であれば、該当移動局から受信されるＨＳ−ＤＰＣＣＨ内のＣＱＩ（Ｃｈａｎｎｅｌ  Ｑｕａｌｉｔｙ  Ｉｎｄｉｃａｔｏｒ）を利用して、Ｅ−ＡＧＣＨの送信電力を算出する。ＣＱＩからＥ−ＡＧＣＨの電力値算出方法は、例えば予め計算されたルックアップテーブルを引くことによって容易に実装可能である。また、この場合、１番目の制御法との併用が可能である。１番目の制御法によって電力補正を行うことで、Ｅ−ＡＧＣＨ電力制御の精度を向上させることが可能である。
【００２０】
また、複数の移動局に対して共通のＥ−ＡＧＣＨを用いることも可能である。この場合、１番目の制御法及び２番目の制御法のいずれの手法を用いても、同一グループの移動局の中で要求される電力値の最大値（あるいは平均値）をＥ−ＡＧＣＨの送信電力として使用する。
【００２１】
本発明の移動通信システムでは、わずかな情報Ｂｉｔ・制御の追加、または制御の追加のみによって、Ｅ−ＡＧＣＨの電力制御を行うことで、Ｗ−ＣＤＭＡシステムにおいて望ましくない下りの電力リソースの浪費を抑えることが可能となる。
【発明の効果】
【００２２】
本発明は、以下に述べるような構成及び動作とすることで、Ｗ−ＣＤＭＡシステムにおいて望ましくない下りの電力リソースの浪費を抑えることができるという効果が得られる。
【発明を実施するための最良の形態】
【００２３】
次に、本発明の実施例について図面を参照して説明する。図１は本発明の一実施例による移動通信システムの構成を示すブロック図である。図１において、ＨＳ−ＤＳＣＨ（Ｈｉｇｈ  Ｓｐｅｅｄ−Ｄｏｗｎｌｉｎｋ  Ｓｈａｒｄ  Ｃｈａｎｎｅｌ）  Ｓｅｒｖｉｎｇ  Ｃｅｌｌであり、かつ、Ｓｅｒｖｉｎｇ  Ｅ−ＤＣＨ（Ｅｎｈａｎｃｅｄ  Ｄｅｄｉｃａｔｅｄ  Ｃｈａｎｎｅｌ）  Ｃｅｌｌである無線基地局２と移動局１との間には、図１に示される物理チャネルが使用される。但し、ＣＰＩＣＨ（Ｃｏｍｍｏｎ  Ｐｉｌｏｔ  Ｃｈａｎｎｅｌ）、Ｐ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）、Ｓ−ＣＣＰＣＨ（Ｓｅｃｏｎｄａｒｙ  Ｃｏｍｍｏｎ  Ｃｏｎｔｒｏｌ  Ｐｈｙｓｉｃａｌ  ＣｈａｎｎｅｌＣＰＣ）等の共通チャネルに関しては記載していない。
【００２４】
個別物理チャネルは、Ｗ−ＣＤＭＡ（Ｗｉｄｅｂａｎｄ  Ｃｏｄｅ  Ｄｉｖｉｓｉｏｎ  ｍｕｌｔｉｐｌｅ  Ａｃｃｅｓｓ）システムにおいて、従来から使用されている物理チャネルである。ＨＳＤＰＡを行うにあたり、追加された物理チャネルとしては、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）、ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）、ＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）の３つの物理チャネルがある。ＨＳ−ＤＰＣＣＨの中には、ＣＱＩ（Ｃｈａｎｎｅｌ  Ｑｕａｌｉｔｙ  Ｉｎｄｉｃａｔｏｒ）と呼ばれる下り無線リンク品質情報が入っている。
【００２５】
さらに、ＥＵＤＣＨをサポートする場合、以下の物理チャネルが定義されている。ユーザデータを伝送するための物理チャネルであるＥ−ＤＰＤＣＨ（Ｅ−ＤＣＨ  Ｄｅｄｉｃａｔｅｄ  Ｐｈｙｓｉｃａｌ  Ｄａｔａ  Ｃｈａｎｎｅｌ）、無線基地局がスケジューリングを行う上で必要とされる情報、及びＥ−ＤＰＤＣＨを復号するために必要とされる情報を通知する制御チャネルであるＥ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）、無線基地局が、移動局に許される最大送信レート・電力の情報、及び移動局に許される送信タイミングに関する情報を通知するための制御チャネルであるＥ−ＡＧＣＨ、Ｅ−ＤＰＤＣＨのＨＡＲＱ制御を行う際に用いられるＨＡＲＱ  Ａｃｋｎｏｗｌｅｄｇｅ情報であるＥ−ＨＩＣＨ（Ｅ−ＤＣＨ  ＨＡＲＱ  Ａｃｋｎｏｗｌｅｄｇｅｍｅｎｔ  Ｉｎｄｉｃａｔｏｒ  Ｃｈａｎｎｅｌ）、移動局に許される最大送信レートの“上げろ”、“下げろ”を相対的に指示するためのＥ−ＲＧＣＨ（Ｅ−ＤＣＨ  Ｒｅｌａｔｉｖｅ  Ｇｒａｎｔ  Ｃｈａｎｎｅｌ）がある。
【００２６】
図２は本発明の一実施例におけるＥＵＤＣＨシステムの構成例を示す図である。図２において、移動局１は無線基地局２−１、無線基地局２−２、無線基地局２−３との間でＳＨＯ（Ｓｏｆｔ  Ｈａｎｄ  Ｏｖｅｒ）状態にある。無線基地局２−１との無線リンク（ＲＬ：Ｒａｄｉｏ  Ｌｉｎｋ）をＲＬ＃１、無線基地局２−２との無線リンクをＲＬ＃２、無線基地局２−３との無線リンクをＲＬ＃３と呼ぶ。また、無線基地局２−１〜無線基地局２−３は上位局（ＲＮＣ：Ｒａｄｉｏ  Ｎｅｔｗｏｒｋ  Ｃｏｎｔｒｏｌｌｅｒ）３とＩｕｂと呼ばれるＩｎｔｅｒｆａｃｅにてつながっている。尚、図２においては簡略化のため、ＥＵＤＣＨで用いられる下り物理チャネルであるＥ−ＨＩＣＨ／Ｅ−ＲＧＣＨを示していない。
【００２７】
Ｅ−ＤＰＤＣＨによって運ばれるユーザデータは、制御チャネルであるＥ−ＤＰＣＣＨを伴って無線基地局２−１〜２−３に送信される。Ｅ−ＤＰＤＣＨに伴って送信されるＥ−ＤＰＣＣＨ内には、Ｅ−ＤＰＤＣＨの送信レート情報であるＥ−ＴＦＣＩ（Ｅ−ＤＣＨ  Ｔｒａｎｓｐｏｒｔ  Ｆｏｒｍａｔ  Ｃｏｍｂｉｎａｔｉｏｎ  Ｉｎｄｉｃａｔｏｒ）が含まれている。無線基地局２−１〜２−３では、まずＥ−ＤＰＣＣＨ内のＥ−ＴＦＣＩの復号を行い、復号結果から得られるＥ−ＴＦより、Ｅ−ＤＰＤＣＨのＳＦ（Ｓｐｒｅａｄｉｎｇ  Ｆａｃｔｏｒ）、データサイズ、マルチコード数等のＥ−ＤＰＤＣＨの復号に必要とされる情報を得ることで、Ｅ−ＤＰＤＣＨの復号が可能となる。
【００２８】
復号ＯＫのユーザデータに関しては、Ｉｕｂ経由で上位局３へ送信され、上位局３によって選択合成及び順序制御が行われる。したがって、無線基地局２−１〜２−３のうちの少なくとも１つにて復号結果がＯＫとなればよいため、選択ダイバーシティ効果が得られる。また、図２に示す例では、無線基地局２−３は移動局１に対するＨＳ−ＤＳＣＨ  Ｓｅｒｖｉｎｇ  Ｃｅｌｌであり、ＨＳＤＰＡ用の物理チャネルであるＨＳ−ＰＤＳＣＨ、ＨＳ−ＳＣＣＨ、ＨＳ−ＤＰＣＣＨを記載している。
【００２９】
移動局１は無線基地局２−３から送信されているＣＰＩＣＨ（Ｃｏｍｍｏｎ  Ｐｉｌｏｔ  Ｃｈａｎｎｅｌ）の受信レベルから、下り無線リンク品質を算出し、ＨＳ−ＤＰＣＣＨ内のＣＱＩ情報として無線基地局２−３に対してこれを通知する。さらに、図２に示す例では、無線基地局２−３は移動局１に対するＳｅｒｖｉｎｇ  Ｅ−ＤＣＨ  Ｃｅｌｌであることを示す。無線基地局２−３は、移動局１に対してＥ−ＡＧＣＨを送信することで、移動局１の最大送信レート・電力の情報等の制御を行う。
【００３０】
図３は図１の移動局１の構成を示すブロック図である。図３において、移動局１は装置内の各部を制御するＣＰＵ（中央処理装置）１１と、ＣＰＵ１１が実行する制御プログラム１２ａを格納するメインメモリ１２と、送信バッファ１３１を備えた記憶装置１３と、無線基地局２との間の無線通信を制御する無線通信制御部１４と、アンテナ１５とから構成されている。尚、移動局１内において、ＣＰＵ１１と、メインメモリ１２と、記憶装置１３と、無線通信制御部１４とは内部バス１１０にて互いに接続されている。
【００３１】
図４は図１の無線基地局２の構成を示すブロック図である。図４において、無線基地局２は装置内の各部を制御するＣＰＵ２１と、ＣＰＵ２１が実行する制御プログラム２２ａを格納するメインメモリ２２と、上位局から設定されるパラメータを記憶するパラメータ保持部２３１と、ルックアップテーブル２３２とを備えた記憶装置２３と、上位局側との通信を制御する上位局側通信制御部２４と、移動局１側との無線通信を制御する無線通信制御部２５と、アンテナ２６とから構成されている。尚、無線基地局２内において、ＣＰＵ２１と、メインメモリ２２と、記憶装置２３と、上位局側通信制御部２４と、無線通信制御部２５とは内部バス２１０にて互いに接続されている。
【００３２】
図５は本発明の一実施例によるＥ−ＡＧＣＨ下り電力制御に関する１番目の制御法の第一の方法を実現するための処理を示す図であり、図６は図３に示す移動局１の動作を示すフローチャートであり、図７は図４に示す無線基地局２の動作を示すフローチャートである。これら図５〜図７を参照して本発明の一実施例によるＥ−ＡＧＣＨ下り電力制御に関する１番目の制御法の第一の方法について説明する。尚、図６に示す処理は移動局１においてＣＰＵ１１が制御プログラム１２ａを実行することで実現され、図７に示す処理は無線基地局２においてＣＰＵ２１が制御プログラム２２ａを実行することで実現される。
【００３３】
移動局１は無線基地局２がある移動局１に対して送信したＥ−ＡＧＣＨの情報が自局へ通知できたかどうかを、Ｅ−ＤＰＣＣＨ内のＥ−ＴＦを用いて無線基地局２に通知する。Ｅ−ＡＧＣＨにはＣＲＣが付いているので、移動局１は常にＥ−ＡＧＣＨをモニタし、このＣＲＣのチェックを行うことでＥ−ＡＧＣＨが自分宛てに通知されたものであることを認識することができる。
【００３４】
移動局１はＥ−ＡＧＣＨのＣＲＣチェックがＯＫであった後の所定のＥ−ＤＰＣＣＨ送信タイミングにおいて、必ずＥ−ＤＰＣＣＨを無線基地局２へ送信する。この時、Ｅ−ＤＰＣＣＨ内に含まれる情報要素であるＥ−ＴＦの値は、“Ｒｅｓｅｒｖｅされた値”として、Ｅ−ＴＦＣＩへの符号化を行い、Ｅ−ＤＰＣＣＨにマッピングする。また、Ｅ−ＡＧＣＨのＣＲＣチェックがＯＫであった場合には、その直後のＥ−ＤＰＤＣＨの送信は行わない。この動作を移動局１が行うことによって、無線基地局２において、Ｅ−ＡＧＣＨの電力制御を実現する。
【００３５】
上記の１番目の制御法の第一の方法に関する具体的な移動局１の制御に関して説明する。ＥＵＤＣＨを行う移動局１は、サブフレーム（Ｓｕｂ−Ｆｒａｍｅ）（Ｅ−ＡＧＣＨの送信単位：２ｍｓ）毎に自局宛てのＥ−ＡＧＣＨが送信されているかどうかをモニタし（図６ステップＳ１）、Ｅ−ＡＧＣＨのＣＲＣがＯＫかどうかの判断を行う（図６ステップＳ２）。
【００３６】
移動局１は、ＣＲＣがＯＫの場合、Ｅ−ＤＰＣＣＨ内のＥ−ＴＦを“Ｒｅｓｅｒｖｅされた値”とし、Ｅ−ＴＦＣＩへ符号化を行い、Ｅ−ＤＰＣＣＨにＥ−ＴＦＣＩをマッピングして無線基地局２への送信を行う（図６ステップＳ３）。また、移動局１は送信バッファ（図示せず）にデータが溜まっている等によって、次のタイミングでＥ−ＤＰＤＣＨを送信したいかどうかを判断する（図６ステップＳ４）。
【００３７】
移動局１はＥ−ＤＰＤＣＨを送信したい時、Ｅ−ＴＦが“Ｒｅｓｅｒｖｅされた値”として無線基地局２へ送信するタイミング、つまりＥ−ＡＧＣＨを受信ＯＫ後のＥ−ＤＰＣＣＨを送信する所定のタイミングとなっているかどうかを確認し（図６ステップＳ５）、そうならば、該当タイミングでは、Ｅ−ＤＰＤＣＨを送信しないように制御する（図４ステップＳ７）。上記のステップＳ５の結果がＮｏならば、Ｅ−ＤＰＤＣＨ／Ｅ−ＤＰＣＣＨの送信を行う（図６ステップＳ６）。尚、この時のＥ−ＤＰＣＣＨ内のＥ−ＴＦ値は、Ｅ−ＤＰＤＣＨのＳＦ、データサイズ、マルチコード数等に依存して決まる値である。
【００３８】
次に、１番目の制御法の第一の方法に関する具体的な無線基地局２の制御に関して説明する。上記の移動局１に対するＳｅｒｖｉｎｇ  Ｅ−ＤＣＨ  Ｃｅｌｌとなった無線基地局２は、予め上位局からＤｅｌｔａ＿ｅが設定される（図７ステップＳ１１）。ここで、Ｄｅｌｔａ＿ｅはＥ−ＡＧＣＨの初期送信電力値を、ＣＰＩＣＨ送信電力に対するオフセットとして示される値である。したがって、ＣＰＩＣＨ送信電力値をＰ＿ＣＰＩＣＨとすると、移動局１に対するＥ−ＡＧＣＨの初期送信電力：Ｐ＿ｅ＿ａｇｃｈ＿ｉｎｉは、
Ｐ＿ｅ＿ａｇｃｈ＿ｉｎｉ＝Ｐ＿ＣＰＩＣＨ＋Ｄｅｌｔａ＿ｅ
という式で示される。
【００３９】
無線基地局２はＥ−ＡＧＣＨを移動局１へ送信するかどうかを判断し（図７ステップＳ１２）、移動局１に対して送信するならば、
Ｐ＿ｅ＿ａｇｃｈ＿ｒｅｑ
＝Ｐ＿ＣＰＩＣＨ＋Ｄｅｌｔａ＿ｅ＋Ｄｅｌｔａ＿ｏｆｆｓｅｔ
という式の計算を行う（図７ステップＳ１３）。ここで、「Ｄｅｌｔａ＿ｏｆｆｓｅｔ」の初期値は「０」である。また、Ｅ−ＡＧＣＨの電力制御はこの「Ｄｅｌｔａ＿ｏｆｆｓｅｔ」を更新することによって実現する。
【００４０】
無線基地局２は上記の式によって算出されかつ移動局１に要求される電力値：Ｐ＿ｅ＿ａｇｃｈ＿ｒｅｑを基に、予め上位局から設定されたＥ−ＡＧＣＨの最大電力：Ｐ＿ｅ＿ａｇｃｈ＿ｍａｘでクリップを行い（図７ステップＳ１４）、あまりにも大きな電力で送信することを防ぐ。この場合、算出式は、
Ｐ＿ｅ＿ａｇｃｈ
＝ＭＩＮ（Ｐ＿ｅ＿ａｇｃｈ＿ｒｅｑ，Ｐ＿ｅ＿ａｇｃｈ＿ｍａｘ）
となる。これによって、Ｐ＿ｅ＿ａｇｃｈの電力値で無線基地局２は、Ｅ−ＡＧＣＨの送信を行う。尚、上記のステップＳ１２の判断において、移動局１に対してＥ−ＡＧＣＨを送信しないならば、上述したステップＳ１３，Ｓ１４の処理を行わない。
【００４１】
次に、無線基地局２はＥ−ＡＧＣＨを送信後に、該移動局１から通知されるＥ−ＤＰＣＣＨを受信するタイミングであるかどうかの判断を行う（図７ステップＳ１５）。無線基地局２は受信するタイミングでなければ、電力補正処理をしないで、サブフレーム毎の処理を終了する。
【００４２】
無線基地局２は通知される受信タイミングであれば、Ｅ−ＤＰＣＣＨ内のＥ−ＴＦＣＩの相関結果が閾値（Ｔｈｒｅｓｈｏｌｄ）よりも高いかどうかを判断し（図７ステップＳ１６）、相関値が閾値よりも低ければ、移動局１がＥ−ＡＧＣＨを取れていないと判断し、
Ｄｅｌｔａ＿ｏｆｆｓｅｔ
＝Ｄｅｌｔａ＿ｏｆｆｓｅｔ＋Ｄｅｌｔａ＿ｓｔｅｐ
×（１−ＢＬＥＲ＿ｔａｒｇｅｔ）              ［ｄＢ］
という式で示される電力補正処理を行う（図７ステップＳ１８）。
【００４３】
上記のステップＳ１６の動作は、Ｅ−ＤＰＣＣＨに対してＣＲＣが付与されているならば、Ｅ−ＤＰＣＣＨのＣＲＣの復号結果がＯＫかＮＧかで判断することも可能である。この場合、Ｅ−ＤＰＣＣＨのＣＲＣの復号結果がＯＫならば、ステップＳ１６の「ＹＥＳ」、ＣＲＣの復号結果がＮＧならば、ステップＳ１６の「ＮＯ」にそれぞれ分岐する。
【００４４】
ここで、Ｄｅｌｔａ＿ｓｔｅｐはステップ幅（ｄＢ）、ＢＬＥＲ＿ｔａｒｇｅｔはＥ−ＡＧＣＨの目標ＢＬＥＲ（Ｂｌｏｃｋ  Ｅｒｒｏｒ  Ｒａｔｅ）であり、上位局から設定されるパラメータである。
【００４５】
無線基地局２はＥ−ＤＰＣＣＨ内のＥ−ＴＦＣＩの相関結果が閾値よりも高ければ、Ｅ−ＴＦＣＩの復号結果であるＥ−ＴＦの値が“Ｒｅｓｅｒｖｅされた値”であるかどうかを判断し（図７ステップＳ１７）、“Ｒｅｓｅｒｖｅされた値”であれば、移動局１がＥ−ＡＧＣＨを取れたと判断することができるため、
Ｄｅｌｔａ＿ｏｆｆｓｅｔ
＝Ｄｅｌｔａ＿ｏｆｆｓｅｔ−Ｄｅｌｔａ＿ｓｔｅｐ
×ＢＬＥＲ＿ｔａｒｇｅｔ                        ［ｄＢ］
という式で示される電力補正処理を行う（図７ステップＳ１９）。無線基地局２は“Ｒｅｓｅｒｖｅされた値”でなければ、移動局１がＥ−ＡＧＣＨを取れていないと判断し、上記のステップＳ１８で示される電力補正処理を行う。
【００４６】
上述した１番目の制御法の第１の方法では、移動局１にてＥ−ＡＧＣＨ受信がＯＫの時に必ずＥ−ＤＰＣＣＨを送信する必要があり、また、この時にはＥ−ＤＰＤＣＨを送信できない制約がある。さらに、１番目の制御法の第１の方法では、移動局１が送信可能なＥ−ＤＰＣＣＨの送信のタイミングが、Ｅ−ＤＰＤＣＨを用いてデータを送信する時か、Ｅ−ＡＧＣＨを受けた直後のタイミングのみに限定される。しかしながら、１番目の制御法の第１の方法では、Ｅ−ＤＰＣＣＨに情報Ｂｉｔを追加する必要がなく、容易な制御によってＥ−ＡＧＣＨの電力制御が可能であることが大きなメリットである。
【００４７】
上記の１番目の制御法の第１の方法で発生するＥ−ＤＰＣＣＨの送信タイミングの制約をなくすための方法として、Ｅ−ＡＧＣＨ下り電力制御に関する１番目の制御法の第二の方法を以下に示す。
【００４８】
図８は本発明の一実施例によるＥ−ＡＧＣＨ下り電力制御に関する１番目の制御法の第二の方法を実現するための処理を示す図であり、図９は図８の移動局１の動作を示すフローチャートであり、図１０は図８の無線基地局２の動作を示すフローチャートである。これら図８〜図１０を参照して本発明の一実施例によるＥ−ＡＧＣＨ下り電力制御に関する１番目の制御法の第二の方法について説明する。尚、図９に示す処理は移動局１においてＣＰＵ１１が制御プログラム１２ａを実行することで実現され、図１０に示す処理は無線基地局２においてＣＰＵ２１が制御プログラム２２ａを実行することで実現される。
【００４９】
無線基地局２がある移動局１に対して送信したＥ−ＡＧＣＨの情報が該移動局１へ通知できたかどうかを、Ｅ−ＤＰＣＣＨ内にマッピングされたＣＲＣビット（１ｂｉｔのＣＲＣのＯＫ／ＮＧの情報）を用いて無線基地局２に通知する。上述した１番目の制御法の第一の方法と同様に、Ｅ−ＡＧＣＨにはＣＲＣが付いているので、移動局１は常にＥ−ＡＧＣＨをモニタし、このＣＲＣのチェックを行うことで、Ｅ−ＡＧＣＨが自局宛てに通知されたものであることを認識することができる。
【００５０】
移動局１はＥ−ＡＧＣＨのＣＲＣチェックがＯＫであり、かつＥ−ＤＰＣＣＨ送信を行うならば、Ｅ−ＤＰＣＣＨ内のＣＲＣビットを“ＯＫ”として無線基地局２へ通知し、ＣＲＣチェックがＮＧであり、かつＥ−ＤＰＣＣＨ送信を行うならば、Ｅ−ＤＰＣＣＨ内のＣＲＣビットを“ＮＧ”として無線基地局２へ通知する。移動局１は必ずしもＥ−ＡＧＣＨのＣＲＣチェックの結果を無線基地局２へ送信する必要はないが、本制御の精度を向上するためには、ＣＲＣのＯＫにてＥ−ＡＧＣＨを受信後の所定のタイミングにてＥ−ＤＰＣＣＨを送信した方がよい。また、Ｅ−ＤＰＣＣＨのみ送信する場合、移動局１はＥ−ＴＦ値を“Ｒｅｓｅｒｖｅされた値”として、無線基地局２へ送信する。本動作を移動局１が行うことによって、無線基地局２において、Ｅ−ＡＧＣＨの電力制御を実現する。
【００５１】
上記の１番目の制御法の第二の方法に関する具体的な移動局１の制御に関して説明する。ＥＵＤＣＨを行う移動局１は、サブフレーム（Ｅ−ＡＧＣＨの送信単位：２ｍｓ）毎に自局宛てのＥ−ＡＧＣＨが送信されているかどうかをモニタし（図９ステップＳ２１）、Ｅ−ＡＧＣＨのＣＲＣがＯＫかどうかの判断を行う（図９ステップＳ２２）。移動局１はＣＲＣがＯＫの場合、Ｅ−ＤＰＤＣＨを送信可能な状態かどうかを判断する（図９ステップＳ２３）。
【００５２】
移動局１はＥ−ＤＰＤＣＨを送信するならば、Ｅ−ＴＦをＥ−ＤＰＤＣＨの送信レート、ＣＲＣビットを“ＯＫ”としてＥ−ＤＰＣＣＨを送信する（図９ステップＳ２４）。移動局１はＥ−ＤＰＤＣＨを送信しないならば、Ｅ−ＤＰＣＣＨのみ送信するかどうかの判断を行う（図９ステップＳ２５）。移動局１はＥ−ＤＰＤＣＨを送信する場合、Ｅ−ＴＦを“Ｒｅｓｅｒｖｅされた値”、ＣＲＣビットをＥ−ＡＧＣＨのＣＲＣ結果を用いて（ここでは“ＯＫ”）、Ｅ−ＤＰＣＣＨを送信する（図９ステップＳ２６）。
【００５３】
上記のステップＳ２５の条件において、Ｅ−ＤＰＣＣＨを送信しない場合には何も送信しない。しかしながら、Ｅ−ＡＧＣＨのＣＲＣが“ＯＫ”の場合には、Ｅ−ＤＰＣＣＨをＥ−ＡＧＣＨ受信後の所定のタイミングにて必ず送信する動作をするならば、本制御による精度向上が期待できる。
【００５４】
一方、上記のステップＳ２２より、ＣＲＣがＮＧの場合、移動局１はＥ−ＤＰＤＣＨを送信可能な状態かどうかを判断する（図９ステップＳ２７）。移動局１はＥ−ＤＰＤＣＨを送信するならば、Ｅ−ＴＦをＥ−ＤＰＤＣＨの送信レート、ＣＲＣビットを“ＮＧ”としてＥ−ＤＰＣＣＨを送信する（図９ステップＳ２８）。
【００５５】
移動局１はＥ−ＤＰＤＣＨを送信しないならば、Ｅ−ＤＰＣＣＨのみ送信するかどうかの判断を行う（図９ステップＳ２５）。移動局１はＥ−ＤＰＤＣＨを送信する場合、Ｅ−ＴＦを“Ｒｅｓｅｒｖｅされた値”、ＣＲＣビットをＥ−ＡＧＣＨのＣＲＣ結果を用いて（ここでは“ＮＧ”）、Ｅ−ＤＰＣＣＨを送信する（図９ステップＳ２６）。上記のステップＳ２５の条件において、Ｅ−ＤＰＣＣＨを送信しない場合には、何も送信しない。
【００５６】
１番目の制御法の第二の方法に関する具体的な無線基地局２の制御に関して説明する。該移動局１に対するＳｅｒｖｉｎｇ  Ｅ−ＤＣＨ  Ｃｅｌｌとなった無線基地局２は予め上位局からＤｅｌｔａ＿ｅが設定される（図１０ステップＳ３１）。ここで、Ｄｅｌｔａ＿ｅは、Ｅ−ＡＧＣＨの初期送信電力値を、ＣＰＩＣＨ送信電力に対するオフセットとして示される値である。
【００５７】
したがって、ＣＰＩＣＨ送信電力値をＰ＿ＣＰＩＣＨとすると、該移動局に対するＥ−ＡＧＣＨの初期送信電力：Ｐ＿ｅ＿ａｇｃｈ＿ｉｎｉは、
Ｐ＿ｅ＿ａｇｃｈ＿ｉｎｉ＝Ｐ＿ＣＰＩＣＨ＋Ｄｅｌｔａ＿ｅ
という式で示される。
【００５８】
次に、無線基地局２はＥ−ＡＧＣＨを該移動局１へ送信するかどうかを判断し（図１０ステップＳ３２）、移動局１に対して送信するならば、
Ｐ＿ｅ＿ａｇｃｈ＿ｒｅｑ
＝Ｐ＿ＣＰＩＣＨ＋Ｄｅｌｔａ＿ｅ＋Ｄｅｌｔａ＿ｏｆｆｓｅｔ
という式の計算を行う（図１０ステップＳ３３）。ここで、Ｄｅｌｔａ＿ｏｆｆｓｅｔの初期値は０である。また、Ｅ−ＡＧＣＨの電力制御は、このＤｅｌｔａ＿ｏｆｆｓｅｔを更新することによって実現する。
【００５９】
上記のステップＳ３３によって算出されかつ該移動局１に要求される電力値：Ｐ＿ｅ＿ａｇｃｈ＿ｒｅｑを基に、予め上位局から設定されたＥ−ＡＧＣＨの最大電力：Ｐ＿ｅ＿ａｇｃｈ＿ｍａｘでクリップを行い（図１０ステップＳ３４）、あまりにも大きな電力で送信することを防ぐ。この場合、算出式は、
Ｐ＿ｅ＿ａｇｃｈ
＝ＭＩＮ（Ｐ＿ｅ＿ａｇｃｈ＿ｒｅｑ，Ｐ＿ｅ＿ａｇｃｈ＿ｍａｘ）
となる。これによって、Ｐ＿ｅ＿ａｇｃｈの電力値で無線基地局２は、Ｅ−ＡＧＣＨの送信を行う。尚、上記のステップＳ３２の判断において、移動局１に対してＥ−ＡＧＣＨを送信しないならば、上述したステップＳ３３，Ｓ３４の処理を行わない。
【００６０】
次に、無線基地局２はＥ−ＡＧＣＨを送信後に該移動局からＥ−ＤＰＣＣＨを受信する所定のタイミングであるかどうかの判断を行う（図１０ステップＳ３５）。無線基地局２は受信するタイミングでなければ、電力補正処理をしないで、サブフレーム毎の処理を終了する。
【００６１】
無線基地局２は所定の受信タイミングならば、Ｅ−ＤＰＣＣＨ内のＥ−ＴＦＣＩの相関結果が閾値よりも高いかどうかを判断する（図１０ステップＳ３６）。このステップＳ３６の動作は、Ｅ−ＤＰＣＣＨに対してＣＲＣが付与されているならば、Ｅ−ＤＰＣＣＨのＣＲＣの復号結果がＯＫかＮＧかで判断することも可能である。この場合、Ｅ−ＤＰＣＣＨのＣＲＣの復号結果がＯＫならばステップＳ３６の「ＹＥＳ」、ＣＲＣの復号結果がＮＧならばステップＳ３６の「ＮＯ」にそれぞれ分岐する。
【００６２】
無線基地局２はＥ−ＤＰＣＣＨ内のＥ−ＴＦＣＩの相関結果が閾値よりも低ければ、移動局１がＥ−ＤＰＣＣＨを送信していないため、電力補正処理をしないでサブフレーム毎の処理を終了する。しかしながら、無線基地局２は移動局１が、Ｅ−ＡＧＣＨのＣＲＣが”ＯＫ”の場合、Ｅ−ＡＧＣＨ受信後の所定のタイミングでＥ−ＤＰＣＣＨを必ず送信する動作を行うならば、破線矢印への制御とすることで（図１０参照）、本制御の精度を向上させることが可能である。
【００６３】
無線基地局２は相関値が閾値よりも高ければ、Ｅ−ＤＰＣＣＨ内のＣＲＣビットがＯＫかどうかを確認する（図１０ステップＳ３７）。無線基地局２はＣＲＣビットが“ＮＧ”であれば、移動局１がＥ−ＡＧＣＨを取れていないと判断し、
Ｄｅｌｔａ＿ｏｆｆｓｅｔ
＝Ｄｅｌｔａ＿ｏｆｆｓｅｔ＋Ｄｅｌｔａ＿ｓｔｅｐ
×（１−ＢＬＥＲ＿ｔａｒｇｅｔ）                ［ｄＢ］
という式で示される電力補正処理を行う（図１０ステップＳ３８）。ここで、Ｄｅｌｔａ＿ｓｔｅｐはステップ幅（ｄＢ）、ＢＬＥＲ＿ｔａｒｇｅｔはＥ−ＡＧＣＨの目標ＢＬＥＲ（Ｂｌｏｃｋ  Ｅｒｒｏｒ  Ｒａｔｅ）であり、上位局から設定されるパラメータである。
【００６４】
無線基地局２はＥ−ＤＰＣＣＨ内のＣＲＣビットが“ＯＫ”であれば、移動局１がＥ−ＡＧＣＨを取れたと判断することができるため、
Ｄｅｌｔａ＿ｏｆｆｓｅｔ
＝Ｄｅｌｔａ＿ｏｆｆｓｅｔ−Ｄｅｌｔａ＿ｓｔｅｐ
×ＢＬＥＲ＿ｔａｒｇｅｔ                        ［ｄＢ］
という式で示される電力補正処理を行う（図１０ステップＳ３９）。
【００６５】
本制御によって、移動局１は任意のタイミングでＥ−ＤＰＣＣＨ／Ｅ−ＤＰＤＣＨ、またはＥ−ＤＰＣＣＨのみを送信することができる。しかしながら、本制御の精度をより向上させるには、移動局１が、Ｅ−ＡＧＣＨをＣＲＣがＯＫで受信した場合、Ｅ−ＡＧＣＨ受信後の所定のタイミングで必ずＥ−ＤＰＣＣＨを送信する制約が発生する。
【００６６】
図１１（ａ）は本発明の一実施例によるＥ−ＡＧＣＨ下り電力制御に関する２番目の制御法を実現するため移動局１及び無線基地局２の動作を示す図であり、図１１（ｂ）は本発明の一実施例によるＥ−ＡＧＣＨ下り電力制御に関する２番目の制御法を実現するため移動局１及び無線基地局２の動作を示すフローチャートであり、図１２は本発明の一実施例による２番目の制御法で用いる電力補正値（Ｄｅｌｔａ＿ｒｅｑ）の算出テーブル例を示す図である。これら図１１及び図１２を参照して本発明の一実施例によるＥ−ＡＧＣＨ下り電力制御に関する２番目の制御法について説明する。
【００６７】
本制御を行うための条件として、無線基地局２は移動局１に対するＳｅｒｖｉｎｇ  Ｅ−ＤＣＨ  Ｃｅｌｌ、かつＨＳＤＰＡ  Ｓｅｒｖｉｎｇ  Ｃｅｌｌであることである。２番目の制御法の概要を以下に示す。
【００６８】
移動局１はＨＳＤＰＡ  Ｓｅｒｖｉｎｇ  Ｃｅｌｌである無線基地局２のＣＰＩＣＨの受信レベルを測定することで得られる下り無線リンク品質情報（ＣＱＩ）を、ＨＳ−ＤＰＣＣＨにマッピングして、無線基地局２へ通知する。無線基地局２は通知されたＣＱＩを基にＥ−ＡＧＣＨの下り送信電力を算出することが可能である。ＣＱＩからＥ−ＡＧＣＨの電力値を算出する方法は、例えば予め計算されたルックアップテーブル（例えば、図１０に示すテーブル）を引くことによって容易に実装可能である。また、この場合には、上述した１番目の制御法との併用が可能である。１番目の制御法の方式によって電力補正を行うことで、Ｅ−ＡＧＣＨ電力制御の精度を向上させることが可能である。
【００６９】
２番目の制御法に関する具体的な移動局１の制御に関して説明する。移動局１は、予め上位より指定されたパラメータからＣＱＩ送信タイミングかどうかを判断し（図１１ステップＳ４１）、ＣＱＩ送信タイミングであれば、無線基地局２へＣＱＩを送信する（図１１ステップＳ４２）。移動局１の動作はＨＳＤＰＡによって規定された仕様に順ずることとする。
【００７０】
２番目の制御法に関する具体的な無線基地局２の制御に関して説明する。無線基地局２は移動局１からＣＱＩを受信する動作を行う（図１１ステップＳ５１）。ここで、受信した有効なＣＱＩをＣＱＩ＿Ｒｅｃとする。得られたＣＱＩ＿Ｒｅｃから無線基地局２は、予め計算されているルックアップテーブル（例えば、図１２に示すテーブル）を用いて、Ｅ−ＡＧＣＨをＰ＿ＣＰＩＣＨ＋Ｇａｎｍｍａ＋Ｄｅｌｔａ＿ｒｅｑの送信電力で送信すれば、移動局１にて所望のＢＬＥＲでＥ−ＡＧＣＨを取得することができる送信電力値となるような値を得る（図１１ステップＳ５２）。ここで、Ｐ＿ＣＰＩＣＨはＣＰＩＣＨの送信電力であり、上位局から設定される。また、ＧａｎｍｍａはＨＳＤＰＡにて規定されているＭｅａｓｕｒｅｍｅｎｔ  Ｐｏｗｅｒ  Ｏｆｆｓｅｔ［ｄＢ］であり、上位局より設定される。
【００７１】
次に、無線基地局２は、
Ｐ＿ｅ＿ａｇｃｈ＿ｒｅｑ
＝Ｐ＿ＣＰＩＣＨ＋Ｇａｎｍｍａ＋Ｄｅｌｔａ＿ｒｅｑ
＋Ｄｅｌｔａ＿ｏｆｆｓｅｔ
という式によってＥ−ＡＧＣＨの所要送信電力値を算出する（図１１ステップＳ５３）。
【００７２】
ここで、Ｄｅｌｔａ＿ｏｆｆｓｅｔは上述した図５〜図７または図８〜図１０の補正処理で得られる値を併用する時に使用する。本制御では、上述した１番目の制御法の第一の方法、第二の方法いずれとの併用も可能である。この場合には、Ｄｅｌｔａ＿ｅ＝Ｇａｎｍｍａ＋Ｄｅｌｔａ＿ｒｅｑとして図５〜図７または図８〜図１０の補正処理を行う。また、併用しない時、Ｄｅｌｔａ＿ｏｆｆｓｅｔ＝０とする。
【００７３】
無線基地局２は、上記のステップＳ５３にて得られたＥ−ＡＧＣＨの所要送信電力値：Ｐ＿ｅ＿ａｇｃｈ＿ｒｅｑと、予め上位局から設定されたＥ−ＡＧＣＨの最大電力：Ｐ＿ｅ＿ａｇｃｈ＿ｍａｘとでクリップを行い（図１１ステップＳ５４）、あまりにも大きな電力で送信することを防ぐ。この場合、算出式は、
Ｐ＿ｅ＿ａｇｃｈ
＝ＭＩＮ（Ｐ＿ｅ＿ａｇｃｈ＿ｒｅｑ，Ｐ＿ｅ＿ａｇｃｈ＿ｍａｘ）
となる。無線基地局２は、該移動局１へＥ−ＡＧＣＨを送信する時、移動局１毎に算出される最新のステップＳ５４の算出結果をＥ−ＡＧＣＨの送信電力値として用いる。
【００７４】
このように、本実施例では、わずかな情報ビット・制御の追加、または制御の追加のみによって、Ｅ−ＡＧＣＨの電力制御を行うことで、Ｗ−ＣＤＭＡシステムにおいて望ましくない下りの電力リソースの浪費を抑えることができる。
【００７５】
尚、Ｅ−ＨＩＣＨ／Ｅ−ＲＧＣＨの下り送信電力を決定するのに、上述した方法と同様の方法を使用することができる。Ｅ−ＡＧＣＨで必要とされる電力とＥ−ＨＩＣＨ／Ｅ−ＲＧＣＨで必要とされる電力との比は予め算出可能であるため、この電力比を用いれば、Ｅ−ＨＩＣＨ／Ｅ−ＲＧＣＨの送信電力制御にも使用可能である。但し、Ｅ−ＨＩＣＨ／Ｅ−ＲＧＣＨは最大２０個の移動局への情報がＳｉｇｎａｔｕｒｅ多重されるため、各移動局に対して要求される電力値の最大値（あるいは平均値）を割り当てるといった方法が適用可能である。
【図面の簡単な説明】
【００７６】
【図１】本発明の一実施例による移動通信システムの構成を示すブロック図である。
【図２】本発明の一実施例におけるＥＵＤＣＨシステムの構成例を示す図である。
【図３】図１の移動局の構成を示すブロック図である。
【図４】図１の無線基地局の構成を示すブロック図である。
【図５】本発明の一実施例によるＥ−ＡＧＣＨ下り電力制御に関する１番目の制御法の第一の方法を実現するための処理を示す図である。
【図６】図５の移動局の動作を示すフローチャートである。
【図７】図５の無線基地局の動作を示すフローチャートである。
【図８】本発明の一実施例によるＥ−ＡＧＣＨ下り電力制御に関する１番目の制御法の第二の方法を実現するための処理を示す図である。
【図９】図８の移動局の動作を示すフローチャートである。
【図１０】図８の無線基地局の動作を示すフローチャートである。
【図１１】（ａ）は本発明の一実施例によるＥ−ＡＧＣＨ下り電力制御に関する２番目の制御法を実現するため移動局及び無線基地局の動作を示す図、（ｂ）は本発明の一実施例によるＥ−ＡＧＣＨ下り電力制御に関する２番目の制御法を実現するため移動局及び無線基地局の動作を示すフローチャートである。
【図１２】本発明の一実施例による２番目の制御法で用いる電力補正値（Ｄｅｌｔａ＿ｒｅｑ）の算出テーブル例を示す図である。
【符号の説明】
【００７７】
１  移動局
２，２−１〜２−３  無線基地局
３  上位局
１１，２１  ＣＰＵ
１２，２２  メインメモリ
１２ａ，２２ａ  制御プログラム
１３，２３  記憶装置
１４，２５  無線通信制御部
１５，２６  アンテナ
１１０，２１０  内部バス
１３１  送信バッファ
２３１  パラメータ保持部
２３２  ルックアップテーブル
【図１】
2006245838.tif 000003
【図２】
2006245838.tif 000004
【図３】
2006245838.tif 000005
【図４】
2006245838.tif 000006
【図５】
2006245838.tif 000007
【図６】
2006245838.tif 000008
【図７】
2006245838.tif 000009
【図８】
2006245838.tif 000010
【図９】
2006245838.tif 000011
【図１０】
2006245838.tif 000012
【図１１】
2006245838.tif 000013
【図１２】
2006245838.tif 000014